(57)【要約】【課題】家電のエアコン等を利用した場合人間の部屋全体の容積が大きいため冷暖房のエネルギーコストが大きく経済的に無駄が多く糞尿と倒れたりして機械の故障が多く夏場の熱中症や冬の寒さ等から動物を守る。【課題を解決するための手段】本発明はペット等の飼育する小さな容積の温度、湿度を自動管理する事によりエネルギーコストが小さくなり、糞尿や倒れたりの故障が無くなり室内、屋外問わず自由に移動して使用できドレイン水の処理する手間が省け夏場の熱中症や冬の寒さ等から動物を守る。【選択図】図１
2008148557.tif 000002
【特許請求の範囲】
【請求項１】
犬や猫等のペットの飼育部屋の天井裏に小型化されたエアコンを取り付け、冷房はコンプレッサー（圧縮機）Ｅのガスの気化熱の冷却により、室内Ｒを冷やす。暖房はヒーターＪで暖め冷暖房をサーモスタット（熱感知機）Ｍで飼育部屋の温度、湿度を自動管理する。
【請求項２】
冷房用熱交換器Ｋから発生するドレイン水はドレインホースＱで蒸発用受け皿別図１に流れ蒸発フィルターＢで吸い上げ熱交換器Ａの高温と送風機Ｃの送風により蒸発させドレイン水は本体内で処理する
【請求項３】
冷暖房の送風機の空気の吸い込み口ｂ及び圧縮ガスの高温放熱空気の吸い込み口はごみフィルターＶ、Ｏでごみを取り除く。
【請求項４】
本発明はペットの糞尿による機械や電気系統の故障が無いように飼育部屋Ｔの天井裏Ｓに機械及び電装ボックスを設置し動物のいたずらや糞尿による故障を防ぐ。
【請求項５】
本発明品は屋内、屋外で利用できる。
【発明の詳細な説明】
【技術分野】
【０００１】本発明は犬や猫等のペットの飼育部屋の温度、湿度を自動的に管理し、エネルギーコストを少なく動物の飼育の環境を良くする為の物である。
【背景技術】
【０００２】従来、ペット等の飼育部屋は家電の冷暖房及び送風機、自然の風等により温度調節が行われている。
【発明の開示】
【発明が解決しようとする課題】
【０００３】従来の家電等による温度、湿度調節は冷暖房容積が大きく大容量のエネルギーコストが掛かり、不経済と糞尿と倒れたりして機械の故障が多く、屋外の飼育では夏場の熱中症や冬の寒さ等から動物を守る。
【課題を解決するための手段】本発明はペット等の飼育する小さい容積の温度、湿度を自動調整するため、エネルギーコストが小さくなり糞尿や倒れの故障が無くなり屋内、屋外問わず自由に移動して使用できドレイン水の処理する手間が省ける。
【発明の効果】本発明は温度、湿度調節を小スペースにしてエネルギーコストが低くなり、屋外の飼育の夏場の熱中症と冬場の寒さ等から動物を守る。
【課題を解決するための手段】本発明はペット等の飼育する小さい容積の温度、湿度を自動管理するため、エネルギーコストが小さくなり糞尿や倒れたりの故障が無くなり室内、屋外問わず自由に移動して使用できドレイン水の処理する手間が省け夏場の熱中症や冬の寒さ等から動物を守れる。
【図面の簡単な説明】Ａ  圧縮ガス放熱熱交換器
Ｂ  ドレイン水蒸発フィルター
Ｃ  送風機
Ｄ  コンプレッサー銅パイプ
Ｅ  圧縮機（コンプレッサー）
Ｆ  ガス圧縮タンク
Ｇ  冷暖気循環口
Ｈ  ドレイン水受け皿
Ｉ  送風機
Ｊ  加熱機（ヒーター）
Ｋ  冷房熱交換器
Ｌ  空気循環口
Ｍ  熱感知機（サーモスタット）
Ｎ  電装ボックス
Ｏ  ごみフィルター
Ｐ  ガス圧縮熱の冷却空気の流れ
Ｑ  ドレインパイプ
Ｒ  機械室の間仕切り
Ｓ  機械室（飼育部屋の天井裏）
Ｔ  飼育部屋
Ｕ  冷暖空調の流れ
Ｖ  ごみフィルター
Ｗ  電源、温度設定スイッチ
Ｘ  出入口
Ｙ  圧縮ガス熱交換排気口
Ｚ  圧縮ガス熱交換吸気口
ａ  冷暖空調噴出口
ｂ  冷暖空調吸込口
別図面１
ｃ  ドレイン水蒸発
ｄ  圧縮ガス熱交換器
ｅ  水蒸発フィルター
ｆ  送風機
【図１】
2008148557.tif 000003
【図２】
2008148557.tif 000004
【図３】
2008148557.tif 000005
【図４】
2008148557.tif 000006
【図５】
2008148557.tif 000007
【図６】
2008148557.tif 000008
【図７】
2008148557.tif 000009
2008148557.tif 000010
【手続補正書】
【提出日】平成18年9月4日(2006.9.4)
【手続補正１】
【補正対象書類名】明細書
【補正対象項目名】全文
【補正方法】変更
【補正の内容】
【発明の詳細な説明】
【技術分野】
【０００１】本発明は犬や猫等のペットの飼育部屋の温度、湿度を自動的に管理し、エネルギーコストを少なく動物の飼育の環境を良くする為の物である。
【背景技術】
【０００２】従来、ペット等の飼育部屋は家電の冷暖房及び送風機、自然の風等により温度調節が行われている。
【発明の開示】
【発明が解決しようとする課題】
【０００３】従来の家電等による温度、湿度調節は冷暖房容積が大きく大容量のエネルギーコストが掛かり、不経済と糞尿と倒れたりして機械の故障が多く、屋外の飼育では夏場の熱中症や冬の寒さ等から動物を守る。
【課題を解決するための手段】本発明はペット等の飼育する小さい容積の温度、湿度を自動調整するため、エネルギーコストが小さくなり糞尿や倒れの故障が無くなり屋内、屋外問わず自由に移動して使用できドレイン水の処理する手間が省ける。
【発明の効果】本発明は温度、湿度調節を小スペースにしてエネルギーコストが低くなり、屋外の飼育の夏場の熱中症と冬場の寒さ等から動物を守る。
【課題を解決するための手段】本発明はペット等の飼育する小さい容積の温度、湿度を自動管理するため、エネルギーコストが小さくなり糞尿や倒れたりの故障が無くなり室内、屋外問わず自由に移動して使用できドレイン水の処理する手間が省け夏場の熱中症や冬の寒さ等から動物を守れる。
【図面の簡単な説明】
【０００４】
【図１】はペットハウス全体の斜視図である。
【図２】は機械室の平面図である
【図３】は左側面図である。
【図４】は右側面図である。
【図５】は正面図である。
【図６】は背面図である。
【図７】天井図面である。
【図８】はドレイン水蒸発詳細図面である。
【符号の説明】
【０００５】Ａ  圧縮ガス放熱熱交換器
Ｂ  ドレイン水蒸発フィルター
Ｃ  送風機
Ｄ  コンプレッサー銅パイプ
Ｅ  圧縮機（コンプレッサー）
Ｆ  ガス圧縮タンク
Ｇ  冷暖気循環口
Ｈ  ドレイン水受け皿
Ｉ  送風機
Ｊ  加熱機（ヒーター）
Ｋ  冷房熱交換器
Ｌ  空気循環口
Ｍ  熱感知機（サーモスタット）
Ｎ  電装ボックス
Ｏ  ごみフィルター
Ｐ  ガス圧縮熱の冷却空気の流れ
Ｑ  ドレインパイプ
Ｒ  機械室の間仕切り
Ｓ  機械室（飼育部屋の天井裏）
Ｔ  飼育部屋
Ｕ  冷暖空調の流れ
Ｖ  ごみフィルター
Ｗ  電源、温度設定スイッチ
Ｘ  出入口
Ｙ  圧縮ガス熱交換排気口
Ｚ  圧縮ガス熱交換吸気口
ａ  冷暖空調噴出口
ｂ  冷暖空調吸込口
ｃ  ドレイン水蒸発皿
ｄ  圧縮ガス熱交換器
ｅ  ドレイン水蒸発フィルター
ｆ  送風機
【手続補正２】
【補正対象書類名】図面
【補正対象項目名】全図
【補正方法】変更
【補正の内容】
【図１】
2008148557.tif 000011
【図２】
2008148557.tif 000012
【図３】
2008148557.tif 000013
【図４】
2008148557.tif 000014
【図５】
2008148557.tif 000015
【図６】
2008148557.tif 000016
【図７】
2008148557.tif 000017
【図８】
2008148557.tif 000018